(57)【特許請求の範囲】
【請求項１】
ユーザ側通信装置が第１のプロバイダ側通信装置と第２のプロバイダ側通信装置とに冗長に接続されたネットワーク構成において、該ユーザ側通信装置で現用系のプロバイダ側通信装置及び予備系のプロバイダ側通信装置を設定するプロテクション提供方法であって：
前記第１のプロバイダ側通信装置が、疑似回線を確立するときに受信した第１のシグナリングメッセージを前記ユーザ側通信装置に送信する第１送信ステップ；
前記第２のプロバイダ側通信装置が、疑似回線を確立するときに受信した第２のシグナリングメッセージを前記ユーザ側通信装置に送信する第２送信ステップ；
前記ユーザ側通信装置が、前記第１及び第２のシグナリングメッセージを受信する受信ステップ；
前記ユーザ側通信装置が、前記第１及び第２のシグナリングメッセージを比較する比較ステップ；及び
前記ユーザ側通信装置が、前記の比較に基づいて、前記現用系のプロバイダ側通信装置と前記予備系のプロバイダ側通信装置とを設定する設定ステップ；
を有するプロテクション提供方法。
【請求項２】
前記第１及び第２のシグナリングメッセージは、疑似回線の識別子と、双方向又は片方向の通信形態を示す情報と、疑似回線の接続先及びサービスを示す情報とを有することを特徴とする、請求項１に記載のプロテクション提供方法。
【請求項３】
前記比較ステップは、前記第１のシグナリングメッセージに含まれる疑似回線の接続先及びサービスを示す情報と、前記第２のシグナリングメッセージに含まれる疑似回線の接続先及びサービスとが同じである場合に、前記ユーザ側通信装置が前記第１のシグナリングメッセージに含まれる疑似回線の識別子と、前記第２のシグナリングメッセージに含まれる疑似回線の識別子とを比較し、
前記設定ステップは、前記ユーザ側通信装置が、前記第１及び第２のシグナリングメッセージに含まれる双方向又は片方向の通信形態を示す情報と疑似回線の識別子の値とに基づいて、前記現用系のプロバイダ側通信装置と前記予備系のプロバイダ側通信装置とを設定することを特徴とする、請求項２に記載のプロテクション提供方法。
【請求項４】
前記設定ステップは、前記第１及び第２のシグナリングメッセージに含まれる双方向又は片方向の通信形態を示す情報が異なる場合に、前記ユーザ側通信装置が、双方向又は片方向の通信形態のうち所定のものを優先的に選択することを特徴とする請求項３に記載のプロテクション提供方法。
【請求項５】
前記ユーザ側通信装置が双方向の通信形態で通信する場合に、
前記第１送信ステップは、前記第１のプロバイダ側通信装置が、疑似回線を確立するときに受信した第１のシグナリングメッセージに、疑似回線を確立するときに送信した第３のシグナリングメッセージに含まれる疑似回線の識別子を付加して、第１の双方向の疑似回線の識別子を前記ユーザ側通信装置に送信し、
前記第２送信ステップは、前記第２のプロバイダ側通信装置が、疑似回線を確立するときに受信した第２のシグナリングメッセージに、疑似回線を確立するときに送信した第４のシグナリングメッセージに含まれる疑似回線の識別子を付加して、第２の双方向の疑似回線の識別子を前記ユーザ側通信装置に送信し、
前記比較ステップは、前記ユーザ側通信装置が、前記第１のシグナリングメッセージに含まれる第１の双方向の疑似回線の識別子と、前記第２のシグナリングメッセージに含まれる第２の双方向の疑似回線の識別子とを比較し、
前記設定ステップは、前記ユーザ側通信装置が、前記第１及び第２のシグナリングメッセージに含まれる双方向の通信形態を示す情報と前記第１及び第２の双方向の疑似回線の識別子の値とに基づいて、前記現用系のプロバイダ側通信装置と前記予備系のプロバイダ側通信装置とを設定することを特徴とする、請求項２に記載のプロテクション提供方法。
【請求項６】
前記第１送信ステップは、疑似回線が確立した後に、前記第１のプロバイダ側通信装置が、前記第１のシグナリングメッセージを前記ユーザ側通信装置に送信し、
前記第２送信ステップは、疑似回線が確立した後に、前記第２のプロバイダ側通信装置が、前記第２のシグナリングメッセージを前記ユーザ側通信装置に送信することを特徴とする、請求項１に記載のプロテクション提供方法。
【請求項７】
前記比較ステップは、前記ユーザ側通信装置が、前記第１及び第２のシグナリングメッセージの受信順序を比較し、
前記設定ステップは、前記ユーザ側通信装置が、前記の受信順序に基づいて、前記現用系のプロバイダ側通信装置と前記予備系のプロバイダ側通信装置とを設定することを特徴とする、請求項１に記載のプロテクション提供方法。
【請求項８】
前記比較ステップは、前記ユーザ側通信装置が、同じ物理ポートを使用する論理回線について設定済のプロテクションが存在するか否かを更に参照し、
前記設定ステップは、設定済のプロテクションが存在する場合に、該設定済のプロテクションと同じように、前記現用系のプロバイダ側通信装置と前記予備系のプロバイダ側通信装置とを設定することを特徴とする、請求項１に記載のプロテクション提供方法。
【請求項９】
第１のプロバイダ側通信装置と第２のプロバイダ側通信装置とに冗長に接続されたネットワーク構成において、現用系のプロバイダ側通信装置及び予備系のプロバイダ側通信装置を設定するユーザ側通信装置であって：
前記第１のプロバイダ側通信装置から第１のシグナリングメッセージを受信し、前記第２のプロバイダ側通信装置から第２のシグナリングメッセージを受信するメッセージ受信部；
前記第１及び第２のシグナリングメッセージを比較する比較部；及び
前記の比較に基づいて、前記現用系のプロバイダ側通信装置と前記予備系のプロバイダ側通信装置とを設定するプロテクション設定部；
を有するユーザ側通信装置。
【請求項１０】
前記第１及び第２のシグナリングメッセージは、疑似回線の識別子と、双方向又は片方向の通信形態を示す情報と、疑似回線の接続先及びサービスを示す情報とを有することを特徴とする、請求項９に記載のユーザ側通信装置。
【請求項１１】
前記比較部は、前記第１のシグナリングメッセージに含まれる疑似回線の接続先及びサービスを示す情報と、前記第２のシグナリングメッセージに含まれる疑似回線の接続先及びサービスを示す情報とが同じである場合に、前記第１のシグナリングメッセージに含まれる疑似回線の識別子と、前記第２のシグナリングメッセージに含まれる疑似回線の識別子とを比較し、
前記プロテクション設定部は、前記第１及び第２のシグナリングメッセージに含まれる双方向又は片方向の通信形態を示す情報と疑似回線の識別子の値とに基づいて、前記現用系のプロバイダ側通信装置と前記予備系のプロバイダ側通信装置とを設定することを特徴とする、請求項１０に記載のユーザ側通信装置。
【請求項１２】
前記プロテクション設定部は、前記第１及び第２のシグナリングメッセージに含まれる双方向又は片方向の通信形態を示す情報が異なる場合に、双方向又は片方向の通信形態のうち所定のものを優先的に選択することを特徴とする請求項１１に記載のユーザ側通信装置。
【請求項１３】
前記ユーザ側通信装置が双方向の通信形態で通信する場合に、
前記メッセージ受信部は、前記第１のプロバイダ側通信装置から第１の双方向の疑似回線の識別子を更に受信し、前記第２のプロバイダ側通信装置から第２の双方向の疑似回線の識別子を更に受信し、
前記比較部は、前記第１の双方向の疑似回線の識別子と、前記第２の双方向の疑似回線の識別子とを比較し、
前記プロテクション設定部は、前記第１及び第２のシグナリングメッセージに含まれる双方向の通信形態を示す情報と前記第１及び第２の双方向の疑似回線の識別子の値とに基づいて、前記現用系のプロバイダ側通信装置と前記予備系のプロバイダ側通信装置とを設定することを特徴とする、請求項９に記載のユーザ側通信装置。
【請求項１４】
前記比較部は、前記第１及び第２のシグナリングメッセージの受信順序を比較し、
前記プロテクション設定部は、前記の受信順序に基づいて、前記現用系のプロバイダ側通信装置と前記予備系のプロバイダ側通信装置とを設定することを特徴とする、請求項９に記載のユーザ側通信装置。
【請求項１５】
前記比較部は、同じ物理ポートを使用する論理回線について設定済のプロテクションが存在するか否かを更に参照し、
前記プロテクション設定部は、設定済のプロテクションが存在する場合に、該設定済のプロテクションと同じように、前記現用系のプロバイダ側通信装置と前記予備系のプロバイダ側通信装置とを設定することを特徴とする、請求項９に記載のユーザ側通信装置。
【発明の詳細な説明】
【技術分野】
【０００１】
本発明は、ユーザ側通信装置が第１のプロバイダ側通信装置と第２のプロバイダ側通信装置とに冗長に接続されたネットワーク構成において、ユーザ側通信装置で現用系のプロバイダ側通信装置及び予備系のプロバイダ側通信装置を設定するプロテクション提供方法に関し、また、それに対応するユーザ側通信装置に関する。
【背景技術】
【０００２】
近年のパケット伝送技術として、ＭＰＬＳ（Multiprotocol Label Switching）と呼ばれる技術が着目されている。ＭＰＬＳとは、パケットにラベルを付与して高速伝送を実現する技術である。ＩＥＴＦ（Internet Engineering Task Force）では、ＭＰＬＳを疑似回線（ＰＷ：Pseudowire）として使用して既存のサービス（例えば、ＦＲ（Frame Relay）、ＡＴＭ（Asynchronous Transfer Mode）、ＴＤＭ（Time-Division Multiplexing）、Ｅｔｈｅｒｎｅｔ（登録商標））をＥｎｄ−ｔｏ−Ｅｎｄ（Ｐｏｉｎｔ−ｔｏ−Ｐｏｉｎｔ）で提供するＰＷＥ３（Pseudowire Emulation Edge-to-Edge）について検討されている。このように、ＭＰＬＳは各種のサービスを統合する疑似回線として使用できることから、キャリア網への展開が予想される。【０００３】
図１に、ＲＦＣ（Request For Comment）３９１６及びＲＦＣ３９８５に記載されているＰＷＥ３の参照モデルを示す。ＰＷＥ３の参照モデルは、ユーザがプロバイダにアクセスするためのユーザ側通信装置（ＣＥ（Customer Edge）装置と呼ばれる）ＣＥ１及びＣＥ２と、プロバイダ側通信装置（ＰＥ（Provider Edge）装置と呼ばれる）ＰＥ１及びＰＥ２とを含む。ＰＥ装置は接続回線(Attachment Circuit)を介してＣＥ装置に接続されると共に、プロバイダのバックボーンを構成するＰ（Provider）装置に接続される。【０００４】
パケット交換網（ＰＳＮ：Packet Switched Network）を介してＥｎｄ−ｔｏ−Ｅｎｄサービスを提供するために、ＰＥ装置ＰＥ１とＰＥ装置ＰＥ２との間にＰＳＮ（Packet Switched Network）トンネルと呼ばれる仮想的なトンネルを生成する。このトンネルを生成するためにＭＰＬＳ又はＬ２ＴＰ（Layer 2 Tunneling Protocol）と呼ばれる技術を使用することができる。次に、このトンネル内に疑似回線ＰＷ１又はＰＷ２を確立することにより、ＣＥ装置ＣＥ１とＣＥ装置ＣＥ２との間でＥｎｄ−ｔｏ−Ｅｎｄサービスが提供可能になる。【０００５】
上記のように、ＭＰＬＳはＥｎｄ−ｔｏ−Ｅｎｄサービスを提供することができ、キャリア網への展開が予想されるため、高信頼性が求められる。高信頼性を実現するために、伝送路又は通信装置に障害が生じたときに予備となる回線を提供する技術、いわゆるプロテクション技術を提供する必要が生じる。【０００６】
現在のプロテクション技術には、ＰＥ装置間のパス（すなわち、ＬＳＰ（Label Switched Path））のプロテクションが存在する。例えば、ＬＳＰの障害に対して現用系ＬＳＰを予備系ＬＳＰに高速で迂回するＦａｓｔ  Ｒｅｒｏｕｔｅ（ＲＦＣ４０９０）と呼ばれる方式が存在する。また、現用系ＬＳＰと予備系ＬＳＰとを切り替える技術として、特許文献１に記載のように、予備系ＬＳＰを予め設定しておき、障害発生時に経路検索処理を行い、予備系ＬＳＰに切り替える技術がある。【０００７】
しかし、このようなプロテクション技術は、図２（ａ）に示すようなＰＥ装置間のパスの冗長構成を対象としており、図２（ｂ）に示すようなＰＥ装置の冗長構成を対象としていない。すなわち、ＣＥ装置ＣＥ１及びＣＥ２で現用系ＰＥ装置ＰＥ１ａ及びＰＥ２ａから予備系ＰＥ装置ＰＥ１ｂ及びＰＥ２ｂに切り替えることは対象としていない。
【特許文献１】特開２００２−３７４２８８
【発明の開示】
【発明が解決しようとする課題】
【０００８】
従来技術を用いて図２（ｂ）に示すＰＥ装置の冗長構成に対応するために、ＣＥ装置ＣＥ１及びＣＥ２は、現用系ＰＥ装置及び予備系ＰＥ装置（又は現用系疑似回線及び予備系疑似回線）を選択する技術が必要になると共に、ＣＥ装置ＣＥ１とＣＥ装置ＣＥ２との間のＥｎｄ−ｔｏ−Ｅｎｄサービスを考慮したプロテクションを提供する必要がある。しかし、ＰＥ装置の冗長構成での切り替えについて、Ｅｎｄ−ｔｏ−Ｅｎｄサービス毎に以下のような問題が生じる。【０００９】
Ｅｎｄ−ｔｏ−ＥｎｄサービスがＥｔｈｅｒｎｅｔ（登録商標）である場合、図２（ｂ）のようなＰＥ装置の冗長構成で構成されるループ状の経路にスパニングツリープロトコル（Spanning Tree Protocol）を適用することができる。このスパニングツリープロトコルを用いることで、プロテクションを提供することができるが、切り替えに要する時間が数秒単位になる。従って、現用系ＰＥ装置から予備系ＰＥ装置への高速な切り替えは困難である。【００１０】
Ｅｎｄ−ｔｏ−ＥｎｄサービスがＴＤＭである場合、ＳＤＨ（Synchronous Digital Hierarchy）で規定されているようなＡＰＳ（Automatic Protection Switching）と呼ばれるプロテクション技術が存在しない。従って、現用系ＰＥ装置から予備系ＰＥ装置への切り替えは手動で行う必要があり、現用系ＰＥ装置から予備系ＰＥ装置への高速な切り替えは困難である。【００１１】
Ｅｎｄ−ｔｏ−ＥｎｄサービスがＡＴＭである場合、ＩＴＵ（International Telecommunication Union）勧告Ｉ．６３０によるリニアプロテクションと呼ばれるプロテクションで切り替えを行うことができる。しかし、以下に説明する１：１  Ｂｉｄｉｒｅｃｔｉｏｎａｌと呼ばれるプロテクションを提供する場合に、現用系と予備系とのミスマッチが生じる可能性がある。更に、ミスマッチが生じると、修復を手動で行う必要がある。従って、現用系ＰＥ装置から予備系ＰＥ装置への信頼性の高い切り替えは困難である。【００１２】
また、ＰＥ装置の冗長構成でプロテクションを提供する場合に、上記のようにＥｎｄ−ｔｏ−Ｅｎｄサービスに応じてＣＥ装置の処理が異なる。従って、疑似回線に複数のサービスが収容されている場合に、ＣＥ装置の処理が複雑になるという問題が生じる。【００１３】
上記のように、プロバイダ側通信装置（ＰＥ装置）の冗長構成に対して高速且つ信頼性の高いプロテクションを提供することは困難である。【００１４】
本発明は、上記の点に鑑みなされたものであり、プロバイダ側通信装置の冗長構成に対して高速且つ信頼性の高いプロテクションを提供することを総括的な目的とする。
【課題を解決するための手段】
【００１５】
本発明の前記の目的は、ユーザ側通信装置が第１のプロバイダ側通信装置と第２のプロバイダ側通信装置とに冗長に接続されたネットワーク構成において、該ユーザ側通信装置で現用系のプロバイダ側通信装置及び予備系のプロバイダ側通信装置を設定するプロテクション提供方法であって：前記第１のプロバイダ側通信装置が、疑似回線を確立するときに受信した第１のシグナリングメッセージを前記ユーザ側通信装置に送信する第１送信ステップ；前記第２のプロバイダ側通信装置が、疑似回線を確立するときに受信した第２のシグナリングメッセージを前記ユーザ側通信装置に送信する第２送信ステップ；前記ユーザ側通信装置が、前記第１及び第２のシグナリングメッセージを受信する受信ステップ；前記ユーザ側通信装置が、前記第１及び第２のシグナリングメッセージを比較する比較ステップ；及び前記ユーザ側通信装置が、前記の比較に基づいて、前記現用系のプロバイダ側通信装置と前記予備系のプロバイダ側通信装置とを設定する設定ステップ；を有するプロテクション提供方法、によって解決することができる。【００１６】
また、本発明の前記の目的は、第１のプロバイダ側通信装置と第２のプロバイダ側通信装置とに冗長に接続されたネットワーク構成において、現用系のプロバイダ側通信装置及び予備系のプロバイダ側通信装置を設定するユーザ側通信装置であって：前記第１のプロバイダ側通信装置から第１のシグナリングメッセージを受信し、前記第２のプロバイダ側通信装置から第２のシグナリングメッセージを受信するメッセージ受信部；前記第１及び第２のシグナリングメッセージを比較する比較部；及び前記の比較に基づいて、前記現用系のプロバイダ側通信装置と前記予備系のプロバイダ側通信装置とを設定するプロテクション設定部；を有するユーザ側通信装置、によっても解決することができる。
【発明の効果】
【００１７】
本発明の実施例によれば、プロバイダ側通信装置の冗長構成に対して高速且つ信頼性の高いプロテクションを提供することができる。
【図面の簡単な説明】
【００１８】
【図１】ＰＷＥ３の参照モデルを示す図
【図２】ＰＥ装置間のパスの冗長構成及びＰＥ装置の冗長構成を示す図
【図３】本発明の第１実施例に係る通信システムを示す図
【図４】片方向の通信形態の２つの方式を示す図
【図５】本発明の第１実施例に係るプロテクション提供方法のフローチャート
【図６】本発明の第１実施例〜第６実施例に係るユーザ側通信装置及びプロバイダ側通信装置の構成図
【図７】本発明の第２実施例に係る通信システムを示す図
【図８】双方向の通信形態の２つの方式を示す図
【図９】双方向の通信形態において生じる設定のミスマッチを示す図
【図１０】本発明の第２実施例に係るプロテクション提供方法のフローチャート
【図１１】本発明の第３実施例に係るプロテクション提供方法のフローチャート
【図１２】同じ物理ポートに複数のサービスを収容する通信システムを示す図
【符号の説明】
【００１９】
ＰＥ１、ＰＥ２  ＰＥ装置
ＣＥ１、ＣＥ２  ＣＥ装置
ＰＷ１、ＰＷ２  疑似回線
ＰＥ１ａ、ＰＥ２ａ  ＰＥ装置
ＰＥ１ｂ、ＰＥ２ｂ  ＰＥ装置
１０、２０  通信システム
１０１ａ、１０１ｂ  メッセージ交換部
１０３ａ、１０３ｂ  メッセージ転送部
１１１  メッセージ受信部
１１３  比較部
１１５  プロテクション設定部
１１７  プロテクション切替部
１１９ａ、１１９ｂ  論理ポート
【発明を実施するための最良の形態】
【００２０】
以下、図面に基づいて本発明の実施例について説明する。【００２１】
<第１実施例>
第１実施例では、ＰＥ装置の冗長構成において片方向のプロテクションを提供する方式について説明する。【００２２】
図３は、本発明の第１実施例に係る通信システム１０を示す図である。通信システム１０は、ユーザ側通信装置（ＣＥ装置）ＣＥ１及びＣＥ２と、現用系（又は予備系）プロバイダ側通信装置（ＰＥ装置）ＰＥ１ａ及びＰＥ２ａと、予備系（又は現用系）プロバイダ側通信装置ＰＥ１ｂ及びＰＥ２ｂとを含む。【００２３】
ＣＥ装置ＣＥ１からＣＥ装置ＣＥ２への方向に片方向のプロテクションを提供するために、ＰＥ装置ＰＥ２ａはＰＥ装置ＰＥ１ａに対してシグナリングメッセージを用いて疑似回線を設定すると共に、ＰＥ装置ＰＥ２ｂはＰＥ装置ＰＥ１ｂに対してシグナリングメッセージを用いて疑似回線を設定する。このシグナリングメッセージは、疑似回線の識別子と、片方向の通信形態を示す情報と、疑似回線の接続先及びサービスを示す情報とを含む。ＭＰＬＳでは、シグナリングメッセージはラベル要求メッセージを受信したときに送信されるラベル割り当てメッセージ（Label mapping message）に相当し、疑似回線の識別子はラベルＩＤに相当する。片方向の通信形態は、１：１  Ｕｎｉｄｉｒｅｃｔｉｏｎａｌ又は１＋１  Ｕｎｉｄｉｒｅｃｔｉｏｎａｌである。なお、１：１  Ｕｎｉｄｉｒｅｃｔｉｏｎａｌとは、図４（ａ）に示すように、送信側のポートで予備系をブロッキングすることで片方向のプロテクションを提供することをいい、１＋１  Ｕｎｉｄｉｒｅｃｔｉｏｎａｌとは、図４（ｂ）に示すように、受信側のポートで予備系をブロッキングすることで片方向のプロテクションを提供することをいう。疑似回線の接続先及びサービスは、ＣＥ装置とＰＥ装置との接続回線（Attachment Circuit）を特定するＧｅｎｅｒａｌｉｚｅｄ  ＰＷ  ＩＤ  ＦＥＣと呼ばれるフィールドを参照することで特定される。【００２４】
第１実施例では、このようなラベル割り当てメッセージをＰＥ装置ＰＥ１ａ及びＰＥ１ｂからＣＥ装置ＣＥ１にも送信する。ＣＥ装置ＣＥ１は、双方のラベル割り当てメッセージを比較し、Ｇｅｎｅｒａｌｉｚｅｄ  ＰＷ  ＩＤ  ＦＥＣが同じである場合に、この双方のＰＥ装置が冗長構成されていることを認識する。例えば、ＣＥ装置はラベルＩＤの小さい方を現用系と設定し、ラベルＩＤの大きい方を予備系と設定することにより、片方向のプロテクションを設定する。例えば片方向の通信形態が１：１  Ｕｎｉｄｉｒｅｃｔｉｏｎａｌである場合、ＣＥ装置は送信側のポートをブロッキングする。【００２５】
このように、現用系ＰＥ装置と予備系ＰＥ装置とを選択するために、ＰＥ装置間のシグナリングメッセージをＣＥ装置で用いることにより、ＰＥ装置の冗長構成に対して高速且つ信頼性の高いプロテクションを提供することが可能になる。【００２６】
<第１実施例：プロテクション提供方法のフローチャート>
図５を参照して、本発明の第１実施例に係るプロテクション提供方法のフローチャートについて詳細に説明する。【００２７】
ＰＥ装置間では、ラベル割り当てメッセージは通常通り送受信される。具体的には、ＰＥ装置ＰＥ２ａは、ラベル要求メッセージに応じて、ラベル割り当てメッセージをＰＥ装置ＰＥ１ａに送信する（Ｓ１０１）。ラベル割り当てメッセージには、ラベルＩＤと、片方向の通信形態を示す情報（１：１  Ｕｎｉｄｉｒｅｃｔｉｏｎａｌ又は１＋１  Ｕｎｉｄｉｒｅｃｔｉｏｎａｌ）と、Ｇｅｎｅｒａｌｉｚｅｄ  ＰＷ  ＩＤ  ＦＥＣとが含まれる。ＰＥ装置ＰＥ１ａがラベル割り当てメッセージを受信すると、これが受け入れられるか否かを判定し、受け入れられる場合には、ＰＥ装置ＰＥ２ａにラベル割り当てメッセージを送信する（Ｓ１０３）。この処理が終了することで、ＰＥ装置ＰＥ１ａとＰＥ装置ＰＥ２ａとの間に疑似回線が確立される。【００２８】
第１実施例では、ＣＥ装置ＣＥ１及びＣＥ２が現用系ＰＥ装置と予備系ＰＥ装置とを選択するために、ＰＥ装置ＰＥ１ａは、ＰＥ装置ＰＥ２ａからラベル割り当てメッセージを受信したときに、受信したラベル割り当てメッセージと同じ内容のメッセージをＣＥ装置ＣＥ１に送信する（Ｓ１０５）。また、ＰＥ装置ＰＥ２ａは、ＰＥ装置ＰＥ１ａからラベル割り当てメッセージを受信したときに、受信したラベル割り当てメッセージと同じ内容のメッセージをＣＥ装置ＣＥ２に送信する（Ｓ１０７）。【００２９】
同様に、ＰＥ装置ＰＥ１ｂとＰＥ２ｂとの間でもラベル割り当てメッセージが通常通り送受信される。具体的には、ＰＥ装置ＰＥ１ｂはラベル割り当てメッセージをＰＥ装置ＰＥ２ｂに送信する（Ｓ１０９）。ＰＥ装置ＰＥ２ｂがラベル割り当てメッセージを受信すると、これが受け入れられるか否かを判定し、受け入れられる場合には、ＰＥ装置ＰＥ１ｂにラベル割り当てメッセージを送信する（Ｓ１１１）。この処理が終了することで、ＰＥ装置ＰＥ１ｂとＰＥ装置ＰＥ２ｂとの間に疑似回線が確立される。【００３０】
ＰＥ装置ＰＥ２ｂは、 ＰＥ装置ＰＥ１ｂからラベル割り当てメッセージを受信したときに、このラベル割り当てメッセージと同じ内容のメッセージをＣＥ装置ＣＥ２に送信する（Ｓ１１３）。また、ＰＥ装置ＰＥ１ｂは、ＰＥ装置ＰＥ２ｂからラベル割り当てメッセージを受信したときに、このラベル割り当てメッセージと同じ内容のメッセージをＣＥ装置ＣＥ１に送信する（Ｓ１１５）。【００３１】
このように、ＣＥ装置ＣＥ１は接続されているＰＥ装置ＰＥ１ａ及びＰＥ１ｂから２つのラベル割り当てメッセージを受信する。また、ＣＥ装置ＣＥ２は接続されているＰＥ装置ＰＥ２ａ及びＰＥ２ｂから２つのラベル割り当てメッセージを受信する。ＣＥ装置ＣＥ１及びＣＥ２は、２つのラベル割り当てメッセージに含まれているＧｅｎｅｒａｌｉｚｅｄ  ＰＷ  ＩＤ  ＦＥＣが同じである場合に、この双方のＰＥ装置が冗長構成されていることを認識する。次に、ＣＥ装置ＣＥ１及びＣＥ２は、ラベルＩＤの大きさによって現用系と予備系とを設定する。例えば、ラベルＩＤの小さい方を現用系としてポートを設定する（Ｓ１１５及びＳ１１７）。【００３２】
図５では、Ｓ１０１〜Ｓ１０７までの処理に続いてＳ１０９〜Ｓ１１５を図示しているが、Ｓ１０１〜Ｓ１０７までの処理とＳ１０９〜Ｓ１１５までの処理は、独立に行われてもよい。例えばＳ１０９〜Ｓ１１５までの処理の後にＳ１０１〜Ｓ１０７の処理が行われてもよく、これらの処理が同時に行われてもよい。【００３３】
ＣＥ装置ＣＥ２は、ラベル割り当てメッセージに含まれる片方向の通信形態を示す情報を参照する。片方向の通信形態が１：１  Ｕｎｉｄｉｒｅｃｔｉｏｎａｌの場合には、ＣＥ装置ＣＥ１は、送信側のポートをブロッキングして、プロテクションの設定を行う。この設定が終了すると、ＣＥ装置ＣＥ１及びＣＥ２は、設定完了メッセージを接続されているＰＥ装置に送信してもよい（Ｓ１１７及びＳ１１９）。【００３４】
片方向の通信形態が１＋１  Ｕｎｉｄｉｒｅｃｔｉｏｎａｌの場合には、任意選択で、ＣＥ装置ＣＥ１は、現用系として設定されるＰＥ装置ＰＥ１ａ及びＰＥ２ａを介して、設定終了メッセージをＣＥ装置ＣＥ２に送信してもよい（Ｓ１２１及びＳ１２３）。同様に、任意選択で、ＣＥ装置ＣＥ１は、予備系として設定されるＰＥ装置ＰＥ１ｂ及びＰＥ２ｂを介して、設定終了メッセージをＣＥ装置ＣＥ２に送信してもよい（Ｓ１２５及びＳ１２７）。この設定終了メッセージがＣＥ装置ＣＥ２で受信されると、ＣＥ装置ＣＥ２は、受信側のポートをブロッキングして、プロテクションの設定を行ってもよい。プロテクションの設定が完了することにより、ＰＥ装置間で疑似回線が確立される
上記の場合は、１＋１  Ｕｎｉｄｉｒｅｃｔｉｏｎａｌ又は１：１  Ｕｎｉｄｉｒｅｃｔｉｏｎａｌの設定は、それぞれのＣＥ装置で設定することを想定しているが、ＰＥ装置による設定も可能である。この場合は、Ｓ１０５、Ｓ１０７、Ｓ１１３、Ｓ１１５の各メッセージにプロテクション方式の設定を盛り込み、通知することで実現可能である。【００３５】
また、例えばＰＥ装置ＰＥ１ａとＰＥ装置ＰＥ２ａとの間のラベル割り当てメッセージに１：１  Ｕｎｉｄｉｒｅｃｔｉｏｎａｌが設定され、ＰＥ装置ＰＥ１ｂとＰＥ装置ＰＥ２ｂとの間のラベル割り当てメッセージに１＋１  Ｕｎｉｄｉｒｅｃｔｉｏｎａｌが設定される場合も想定される。この場合には、１：１  Ｕｎｉｄｉｒｅｃｔｉｏｎａｌを優先的に選択してもよい。その理由は、１：１  Ｕｎｉｄｉｒｅｃｔｉｏｎａｌは送信側のポートをブロッキングすればよいため、前記のＳ１２９〜Ｓ１３５が不要となり、より簡潔な処理が実現できるからである。【００３６】
このように設定されたプロテクションで障害が発生した場合、１＋１  Ｕｎｉｄｉｒｅｃｔｉｏｎａｌの場合には、受信側のＣＥ装置ＣＥ２に障害情報が通知されるため、ＣＥ装置ＣＥ２は受信側のポートを切り替えることができる。また、１：１  Ｕｎｉｄｉｒｅｃｔｉｏｎａｌの場合には、受信側のＣＥ装置ＣＥ２に障害情報が届き、この障害情報が送信側のＣＥ装置ＣＥ１に通知されるため、ＣＥ装置ＣＥ１は送信側のポートを切り替えることができる。【００３７】
<第１実施例：ユーザ側通信装置及びプロバイダ側通信装置の構成例>
図６を参照して、本発明の第１実施例に係るユーザ側通信装置（ＣＥ装置）ＣＥ１及びプロバイダ側通信装置（ＰＥ装置）ＰＥ１ａ及びＰＥ１ｂの構成図について説明する。【００３８】
プロバイダ側通信装置ＰＥ１ａ及びＰＥ１ｂは、メッセージ交換部１０１ａ及び１０１ｂとメッセージ転送部１０３ａ及び１０３ｂとを含む。メッセージ交換部１０１ａ及び１０１ｂは、対向のプロバイダ側通信装置とシグナリングメッセージを交換する。具体的には、擬似回線を確立するときにラベル要求メッセージを送受信し、また、ラベル要求メッセージに応じてラベル割り当てメッセージを送受信する。メッセージ転送部１０３ａ及び１０３ｂは、メッセージ交換部１０１ａ及び１０１ｂで受信したラベル割り当てメッセージをＣＥ装置ＣＥ１に送信する。【００３９】
ユーザ側通信装置ＣＥ１は、メッセージ受信部１１１と、比較部１１３と、プロテクション設定部１１５と、プロテクション切替部１１７と、論理ポート１１９ａ及び１１９ｂとを有する。メッセージ受信部１１１は、論理ポート１１９ａ及び１１９ｂを介してＰＥ装置ＰＥ１ａ及びＰＥ１ｂからラベル割り当てメッセージを受信する。前記のように、ラベル割り当てメッセージには、ラベルＩＤと、片方向の通信形態を示す情報（１：１  Ｕｎｉｄｉｒｅｃｔｉｏｎａｌ又は１＋１  Ｕｎｉｄｉｒｅｃｔｉｏｎａｌ）と、Ｇｅｎｅｒａｌｉｚｅｄ  ＰＷ  ＩＤ  ＦＥＣとが含まれる。比較部１１３は、双方のＰＥ装置ＰＥ１ａ及びＰＥ１ｂから受信したラベル割り当てメッセージに含まれるＧｅｎｅｒａｌｉｚｅｄ  ＰＷ  ＩＤ  ＦＥＣが同じであるか否かを判定する。同じである場合には、ＰＥ装置が冗長構成されていると認識し、比較部１１３は、ラベルＩＤの大きさを比較する。プロテクション設定部１１５は、例えばラベルＩＤの小さい方を現用系と設定し、ラベルＩＤの大きい方を予備系と設定する。更に、プロテクション設定１１５は、ラベル配布メッセージに含まれる片方向の通信形態を示す情報を参照して、１：１  Ｕｎｉｄｉｒｅｃｔｉｏｎａｌの場合には論理ポート１１９ａ及び１１９ｂのうち、予備系に設定された論理ポートをブロッキングする。一方、１＋１  Ｕｎｉｄｉｒｅｃｔｉｏｎａｌの場合には、論理ポート１１９ａ及び１１９ｂを介して対向のＣＥ装置に現用系及び予備系の設定を示す情報を送信し、対向のＣＥ装置のプロテクション設定部が予備系に設定された論理ポートをブロッキングする。プロテクション切替部１１７は、伝送路又は通信装置に障害が生じたときに現用系の論理ポートと予備系の論理ポートとを切り替える。【００４０】
<第２実施例>
第２実施例では、ＰＥ装置の冗長構成において双方向のプロテクションを提供する方式について説明する。【００４１】
図７は、本発明の第２実施例に係る通信システム２０を示す図である。通信システム２０は、図３と同様に構成される。【００４２】
ＣＥ装置ＣＥ１とＣＥ装置ＣＥ２との間で双方向のプロテクションを提供するために、ＰＥ装置ＰＥ２ａはＰＥ装置ＰＥ１ａに対してシグナリングメッセージを用いて疑似回線を設定すると共に、逆方向にＰＥ装置ＰＥ１ａはＰＥ２ａに対してシグナリングメッセージを用いて疑似回線を設定する。また、ＰＥ装置ＰＥ２ｂはＰＥ装置ＰＥ１ｂに対してシグナリングメッセージを用いて疑似回線を設定すると共に、逆方向にＰＥ装置ＰＥ１ｂはＰＥ２ｂに対してシグナリングメッセージを用いて疑似回線を設定する。上記のように、シグナリングメッセージはラベル割り当てメッセージに相当し、疑似回線の識別子と、双方向の通信形態を示す情報と、疑似回線の接続先及びサービスを示す情報とを含む。双方向の通信形態は、１：１  Ｂｉｄｉｒｅｃｔｉｏｎａｌ又は１＋１  Ｂｉｄｉｒｅｃｔｉｏｎａｌである。なお、１：１  Ｂｉｄｉｒｅｃｔｉｏｎａｌとは、図８（ａ）に示すように、双方の送信側のポートで予備系をブロッキングすることで双方向のプロテクションを提供することをいい、１＋１  Ｂｉｄｉｒｅｃｔｉｏｎａｌとは、図８（ｂ）に示すように、双方の受信側のポート（又は片方の受信側のポート）で予備系をブロッキングすることで双方向のプロテクションを提供することをいう。【００４３】
第２実施例では、このようなラベル割り当てメッセージをＰＥ装置ＰＥ１ａ及びＰＥ１ｂからＣＥ装置ＣＥ１にも送信すると共に、ＰＥ装置ＰＥ２ａ及びＰＥ２ｂからＣＥ装置ＣＥ２にも送信する。ＣＥ装置ＣＥ１及びＣＥ２は、双方のラベル割り当てメッセージを比較し、Ｇｅｎｅｒａｌｉｚｅｄ  ＰＷ  ＩＤ  ＦＥＣが同じである場合に、この双方のＰＥ装置が冗長構成されていることを認識する。例えば、ＣＥ装置はラベルＩＤの小さい方を現用系と設定し、ラベルＩＤの大きい方を予備系と設定することにより、双方向のプロテクションを設定する。例えば双方向の通信形態が１：１  Ｂｉｄｉｒｅｃｔｉｏｎａｌである場合、ＣＥ装置は送信側のポートをブロッキングする。【００４４】
ただし、通信形態が双方向である場合には、図９に示すように、ＣＥ装置ＣＥ１及びＣＥ２の間で現用系及び予備系の設定のミスマッチが生じる可能性がある。例えば、ラベルＩＤの小さい方を現用系と設定する場合を仮定する。ＰＥ装置ＰＥ１ａで受信したラベルＩＤが２であり、ＰＥ装置ＰＥ１ｂで受信したラベルＩＤが５である場合に、ＣＥ装置ＣＥ１は、ＰＥ装置ＰＥ１ａを現用系として設定し、ＰＥ装置ＰＥ１ｂを予備系として設定する。一方、ＰＥ装置ＰＥ２ａで受信したラベルＩＤが５０であり、ＰＥ装置ＰＥ２ｂで受信したラベルＩＤが２０である場合に、ＣＥ装置ＣＥ２は、ＰＥ装置ＰＥ２ａを予備系として設定し、ＰＥ装置ＰＥ２ｂを現用系として設定する。【００４５】
このような設定のミスマッチを回避するために、ＣＥ装置ＣＥ１及びＣＥ２は、双方向の通信に使用される疑似回線の全てのラベルＩＤを参照して、例えばラベルＩＤの合計値が小さい方を現用系と設定し、ラベルＩＤの合計値が大きい方を予備系と設定することにより、双方向のプロテクションを設定する。このように設定することにより、ミスマッチを回避することができる。【００４６】
このように、現用系ＰＥ装置と予備系ＰＥ装置とを選択するために、ＰＥ装置間のシグナリングメッセージをＣＥ装置で用いることにより、ＰＥ装置の冗長構成に対して高速且つ信頼性の高いプロテクションを提供することが可能になる。【００４７】
<第２実施例：プロテクション提供方法のフローチャート>
図１０を参照して、本発明の第２実施例に係るプロテクション提供方法のフローチャートについて詳細に説明する。【００４８】
ＰＥ装置間では、ラベル割り当てメッセージは通常通り送受信される。具体的には、ＰＥ装置ＰＥ２ａは、ラベル要求メッセージに応じて、ラベル割り当てメッセージをＰＥ装置ＰＥ１ａに送信する（Ｓ２０１）。ラベル割り当てメッセージには、ラベルＩＤと、双方向の通信形態を示す情報（１：１  Ｂｉｄｉｒｅｃｔｉｏｎａｌ又は１＋１  Ｂｉｄｉｒｅｃｔｉｏｎａｌ）と、Ｇｅｎｅｒａｌｉｚｅｄ  ＰＷ  ＩＤ  ＦＥＣとが含まれる。ＰＥ装置ＰＥ１ａがラベル割り当てメッセージを受信すると、これが受け入れられるか否かを判定し、受け入れられる場合には、ＰＥ装置ＰＥ２ａにラベル割り当てメッセージを送信する（Ｓ２０３）。この処理が終了することで、ＰＥ装置ＰＥ１ａとＰＥ装置ＰＥ２ａとの間に疑似回線が確立される。【００４９】
第２実施例では、ＣＥ装置ＣＥ１及びＣＥ２が現用系ＰＥ装置と予備系ＰＥ装置とを選択するために、ＰＥ装置ＰＥ２ａは、ＰＥ装置ＰＥ１ａに双方向の疑似回線で使用される２つのラベルＩＤを含む情報を肯定応答として送信する（Ｓ２０４）。ＰＥ装置ＰＥ１ａは、２つのラベルＩＤを含む情報を受信したときに、２つのラベルＩＤを含む情報と共に、受信したラベル割り当てメッセージと同じ内容のメッセージをＣＥ装置ＣＥ１に送信する（Ｓ２０５）。また、ＰＥ装置ＰＥ２ａは、ＰＥ装置ＰＥ１ａからラベル割り当てメッセージを受信したときに、２つのラベルＩＤを含む情報と共に、受信したラベル割り当てメッセージと同じ内容のメッセージをＣＥ装置ＣＥ２に送信する（Ｓ２０７）。【００５０】
同様に、ＰＥ装置ＰＥ１ｂとＰＥ２ｂとの間でもラベル割り当てメッセージが通常通り送受信される。具体的には、ＰＥ装置ＰＥ１ｂはラベル割り当てメッセージをＰＥ装置ＰＥ２ｂに送信する（Ｓ２０９）。ＰＥ装置ＰＥ２ｂがラベル割り当てメッセージを受信すると、これが受け入れられるか否かを判定し、受け入れられる場合には、ＰＥ装置ＰＥ１ｂにラベル割り当てメッセージを送信する（Ｓ２１１）。この処理が終了することで、ＰＥ装置ＰＥ１ｂとＰＥ装置ＰＥ２ｂとの間に疑似回線が確立される。【００５１】
ＰＥ装置ＰＥ１ｂは、ＰＥ装置ＰＥ２ｂに双方向の疑似回線で使用される２つのラベルＩＤを含む情報を肯定応答として送信する（Ｓ２１２）。ＰＥ装置ＰＥ２ｂは、２つのラベルＩＤを含む情報を受信したときに、２つのラベルＩＤを含む情報と共に、受信したラベル割り当てメッセージと同じ内容のメッセージをＣＥ装置ＣＥ２に送信する（Ｓ２１３）。また、ＰＥ装置ＰＥ１ｂは、ＰＥ装置ＰＥ２ｂからラベル割り当てメッセージを受信したときに、２つのラベルＩＤを含む情報と共に、受信したラベル割り当てメッセージと同じ内容のメッセージをＣＥ装置ＣＥ１に送信する（Ｓ２１２）。【００５２】
このように、ＣＥ装置ＣＥ１は接続されているＰＥ装置ＰＥ１ａ及びＰＥ１ｂから２つのラベル割り当てメッセージを受信すると共に、双方向の疑似回線で使用される合計４つのラベルＩＤを受信する。また、ＣＥ装置ＣＥ２は接続されているＰＥ装置ＰＥ２ａ及びＰＥ２ｂから２つのラベル割り当てメッセージを受信すると共に、双方向の疑似回線で使用される合計４つのラベルＩＤを受信する。ＣＥ装置ＣＥ１及びＣＥ２は、２つのラベル割り当てメッセージに含まれているＧｅｎｅｒａｌｉｚｅｄ  ＰＷ  ＩＤ  ＦＥＣが同じである場合に、この双方のＰＥ装置が冗長構成されていることを認識する。次に、ＣＥ装置ＣＥ１及びＣＥ２は、ラベルＩＤの合計値の大きさによって現用系と予備系とを設定する。例えば、ラベルＩＤの合計値の小さい方を現用系としてポートを設定する（Ｓ２１５及びＳ２１７）。【００５３】
図１０では、Ｓ２０１〜Ｓ２０７までの処理に続いてＳ２０９〜Ｓ２１５を図示しているが、Ｓ２０１〜Ｓ２０７までの処理とＳ２０９〜Ｓ２１５までの処理は、独立に行われてもよい。例えばＳ２０９〜Ｓ２１５までの処理の後にＳ２０１〜Ｓ２０７の処理が行われてもよく、これらの処理が同時に行われてもよい。【００５４】
ＣＥ装置ＣＥ２は、ラベル割り当てメッセージに含まれる双方向の通信形態を示す情報を参照する。双方向の通信形態が１：１  Ｂｉｄｉｒｅｃｔｉｏｎａｌの場合には、ＣＥ装置ＣＥ１は、送信側のポートをブロッキングして、プロテクションの設定を行う。この設定が終了すると、ＣＥ装置ＣＥ１及びＣＥ２は、設定完了メッセージを接続されているＰＥ装置に送信してもよい（Ｓ２１７及びＳ２１９）。【００５５】
図５と同様に、片方向の通信形態が１＋１  Ｂｉｄｉｒｅｃｔｉｏｎａｌの場合には、任意選択で、ＣＥ装置ＣＥ１は、現用系として設定されるＰＥ装置ＰＥ１ａ及びＰＥ２ａを介して、設定終了メッセージをＣＥ装置ＣＥ２に送信してもよい（図示せず）。同様に、任意選択で、ＣＥ装置ＣＥ１は、予備系として設定されるＰＥ装置ＰＥ１ｂ及びＰＥ２ｂを介して、設定終了メッセージをＣＥ装置ＣＥ２に送信してもよい（図示せず）。この設定終了メッセージがＣＥ装置ＣＥ２で受信されると、ＣＥ装置ＣＥ２は、受信側のポートをブロッキングして、プロテクションの設定を行ってもよい。逆方向でも同様に、ＣＥ装置ＣＥ２からＣＥ装置ＣＥ１に設定終了メッセージを送信して、プロテクションの設定を行ってもよい。プロテクションの設定が完了することにより、ＰＥ装置間で疑似回線が確立される。【００５６】
上記のように、ＣＥ装置がラベル割り当てメッセージを比較して現用系のポートと予備系のポートを設定する代わりに、ＰＥ装置がラベル割り当てメッセージを比較して現用系のポートと予備系のポートを設定し、この設定内容をＣＥ装置に送信してもよい。【００５７】
また、例えばＰＥ装置ＰＥ１ａとＰＥ装置ＰＥ２ａとの間のラベル割り当てメッセージに１：１  Ｂｉｄｉｒｅｃｔｉｏｎａｌが設定され、ＰＥ装置ＰＥ１ｂとＰＥ装置ＰＥ２ｂとの間のラベル割り当てメッセージに１＋１  Ｂｉｄｉｒｅｃｔｉｏｎａｌが設定される場合も想定される。この場合には、予め設定された方を優先的に選択してもよい。更に、例えばＰＥ装置ＰＥ１ａとＰＥ装置ＰＥ２ａとの間のラベル割り当てメッセージにＵｎｉｄｉｒｅｃｔｉｏｎａｌが設定され、ＰＥ装置ＰＥ１ｂとＰＥ装置ＰＥ２ｂとの間のラベル割り当てメッセージにＢｉｄｉｒｅｃｔｉｏｎａｌが設定される場合も想定される。この場合にも同様に、予め設定された方を優先的に選択してもよい。【００５８】
このように設定されたプロテクションで障害が発生した場合、通信形態にかかわらず、受信側のＣＥ装置に障害情報が通知されるため、ＣＥ装置は送信側又は受信側のポートを切り替えることができる。【００５９】
<第２実施例：ユーザ側通信装置及びプロバイダ側通信装置の構成例>
第２実施例のＣＥ装置及びＰＥ装置は、図６と同様に構成することができる。【００６０】
上記のように、現用系と予備系とのミスマッチを回避するため、プロバイダ側通信装置ＰＥ１ａのメッセージ転送部１０１ａ及び１０１ｂは、双方向の疑似回線で使用される２つのラベルＩＤを含む情報と共に、メッセージ交換部１０１ａ及び１０１ｂ受信したラベル割り当てメッセージをＣＥ装置ＣＥ１に送信する。【００６１】
ＣＥ装置ＣＥ１の比較部１１３は、双方のＰＥ装置ＰＥ１ａ及びＰＥ１ｂから受信したラベル割り当てメッセージに含まれるＧｅｎｅｒａｌｉｚｅｄ  ＰＷ  ＩＤ  ＦＥＣが同じである場合に、双方向の疑似回線で使用される合計４つのラベルＩＤの合計値の大きさを比較する。ＣＥ装置ＣＥ１のプロテクション設定部１１５は、例えばラベルＩＤの合計値の小さい方を現用系と設定し、ラベルＩＤの合計値の大きい方を予備系と設定する。【００６２】
その他の構成要素の動作は、第１実施例と同様であるため、説明を省略する。【００６３】
<第３実施例>
前記の第１実施例及び第２実施例では、プロテクションの設定が完了した後に疑似回線が確立されている。本発明の第３実施例では、ＰＥ装置間でラベル割り当てメッセージが送受信されて疑似回線が確立された後に、ＣＥ装置ＣＥ１及びＣＥ２にラベル割り当てメッセージを送信する。【００６４】
図５に対応する第３実施例のプロテクション提供方法のフローチャートを図１１に示す。図１１はフローチャートの順序を除いて図５と同じである。ＰＥ装置ＰＥ１ａとＰＥ装置ＰＥ２ａとの間で疑似回線が確立された後に、ＰＥ装置ＰＥ１ａからＣＥ装置ＣＥ１にラベル割り当てメッセージを送信すると共に（Ｓ３０５）、ＰＥ装置ＰＥ２ａからＣＥ装置ＣＥ２にラベル割り当てメッセージを送信する（Ｓ３０７）。同様に、ＰＥ装置ＰＥ１ｂとＰＥ装置ＰＥ２ｂとの間で疑似回線が確立された後に、ＰＥ装置ＰＥ１ｂからＣＥ装置ＣＥ１にラベル割り当てメッセージを送信すると共に（Ｓ３１５）、ＰＥ装置ＰＥ２ｂからＣＥ装置ＣＥ２にラベル割り当てメッセージを送信する（Ｓ３１３）。【００６５】
双方向の通信形態についても同様のフローチャートでプロテクションを提供することができる。【００６６】
なお、第１実施例及び第２実施例のようにラベルＩＤを比較して現用系と予備系とを選択する代わりに、第３実施例では、先に確立された疑似回線を用いるポートを現用系として設定し、後に確立された疑似回線を用いるポートを予備系として設定してもよい。ここでは先に確立された疑似回線を用いるポートを現用系として設定することについて説明するが、先に確立された疑似回線を用いるポートを予備系として設定してもよい。【００６７】
このように先に確立された疑似回線を用いるポートを現用系として選択する場合のＣＥ装置及びＰＥ装置は、図６と同様に構成することができる。【００６８】
図６に示すユーザ装置ＣＥ１の比較部１１３は、ラベルＩＤを比較する必要はなく、ＰＥ装置ＰＥ１ａ及びＰＥ１ｂから受信したラベル割り当てメッセージの受信順序を比較すればよい。ユーザ装置ＣＥ１のプロテクション設定部１１５は、例えば先に受信したラベル割り当てメッセージに対応するポートを現用系として設定し、後に受信したラベル割り当てメッセージに対応するポートを予備系として設定する。【００６９】
その他の構成要素の動作は、第１実施例及び第２実施例と同様であるため、説明を省略する。【００７０】
<第４実施例>
本発明の第４実施例では、ＣＥ装置の同じ物理ポートに複数のサービスを収容する場合に、現用系と予備系との設定を論理ポート単位ではなく、物理ポート単位で行うことについて説明する。【００７１】
図１２に同じ物理ポートに複数のサービスを収容する通信システムの一例を示している。このような場合には、第１実施例〜第３実施例で説明したように、論理ポート単位で現用系と予備系とを設定する代わりに、物理ポート単位で現用系と予備系とを設定する方が好ましい。物理ポート単位で設定することにより、ＰＥ装置間の回線障害により切り替えが生じる場合に、物理ポートを切り替えればよいため、切り替えが簡単になるという利点がある。【００７２】
従って、ＣＥ装置におけるプロテクションの設定において、同じ物理ポートを使用する論理回線について設定済のプロテクションが存在するかを参照する。設定済のプロテクションが存在する場合には、ラベルＩＤ又はラベル割り当てメッセージの受信順序にかかわらず、設定済のプロテクションと同じように、現用系と予備系とを設定する。【００７３】
第４実施例のＣＥ装置及びＰＥ装置は、図６の論理ポート１１９ａ及び１１９ｂが物理ポートになる点を除いて、図６と同様に構成することができる。【００７４】
図６に示すユーザ装置ＣＥ１の比較部１１３は、同じ物理ポートを使用する論理回線が存在するか否かを判定する。存在しない場合には、第１実施例〜第３実施例と同様に動作する。存在する場合には、設定済のプロテクションを参照する。ユーザ装置ＣＥ１のプロテクション設定部１１５は、設定済のプロテクションと同じように現用系の論理ポートと予備系の論理ポートとを設定する。ユーザ系装置ＣＥ１のプロテクション切替部１１７は、伝送路又は通信装置に障害が生じたときに、論理ポートではなく、物理ポートを切り替える。【００７５】
その他の構成要素の動作は、第１実施例〜第３実施例と同様であるため、説明を省略する。【００７６】
上記の第１実施例〜第４実施例では、疑似回線の接続先及びサービスを特定するために、Ｇｅｎｅｒａｌｉｚｅｄ  ＰＷ  ＩＤ  ＦＥＣと呼ばれるフィールドを参照することについて説明した。しかし、このフィールドの代わりに、疑似回線のＩＤを固定的に設定するＰＷ  ＩＤ  ＦＥＣと呼ばれるフィールドを用いることもできる。ＰＷ  ＩＤ  ＦＥＣを用いる場合には、疑似回線でエミュレートするサービス（例えば、ＶＬＡＮ、ＶＣＩ／ＶＰＩ等）を別途定義することにより、第１実施例〜第４実施例と同様の効果を得ることができる。【００７７】
上記のように、本発明の実施例によれば、プロバイダ側通信装置の冗長構成に対して高速且つ信頼性の高いプロテクションを提供することができる。また、Ｅｎｄ−ｔｏ−Ｅｎｄサービスに依存しないプロテクションを提供することが可能になる。
【図１】
0004547453.tif 000002
【図２】
0004547453.tif 000003
【図３】
0004547453.tif 000004
【図４】
0004547453.tif 000005
【図５】
0004547453.tif 000006
【図６】
0004547453.tif 000007
【図７】
0004547453.tif 000008
【図８】
0004547453.tif 000009
【図９】
0004547453.tif 000010
【図１０】
0004547453.tif 000011
【図１１】
0004547453.tif 000012
【図１２】
0004547453.tif 000013